(57)【特許請求の範囲】
【請求項１】
表示装置が備えた表示面を照明する光源として発光ダイオードを用いたバックライトを複数の分割領域に分割し、前記分割領域に対応する映像信号に基づいて、当該分割領域ごとに前記発光ダイオードの出力を制御することによって、前記表示装置が当該表示面に表示させる画像の輝度を制御可能な表示制御デバイスであって、
前記表示装置によって字幕が表示される前記表示面上の領域である字幕領域において、互いに隣接する分割領域の発光輝度の差が所定値を超えない一連の分割領域を特定する輝度判定手段と、
前記輝度判定手段によって特定された前記一連の分割領域に対応する前記表示装置の領域が画像の表示されない黒帯部に含まれるか否かを判定する黒帯部判定手段と、
前記黒帯部判定手段によって前記一連の分割領域が前記黒帯部に含まれると判定された場合、前記一連の分割領域の発光輝度が、前記バックライト全体の平均輝度と等しくなるように、前記一連の分割領域の発光輝度を制御するバックライト制御手段とを備えたことを特徴とする表示制御デバイス。
【請求項２】
請求項１に記載の表示制御デバイスと、
前記表示装置に表示させる画像を、当該表示装置に出力する再生デバイスとを備えたことを特徴とする再生装置。
【請求項３】
放送されたテレビジョン番組を受信可能なテレビジョン受像機であって、
前記テレビジョン番組を表示する表示装置と、
前記テレビジョン番組を前記画像として前記表示装置に出力する請求項２に記載の再生装置とを備えたことを特徴とするテレビジョン受像機。
【請求項４】
表示装置が備えた表示面を照明する光源として発光ダイオードを用いたバックライトを複数の分割領域に分割し、前記分割領域に対応する映像信号に基づいて、当該分割領域ごとに前記発光ダイオードの出力を制御することによって、前記表示装置が当該表示面に表示させる画像の輝度を制御可能な表示制御デバイスの制御方法であって、
前記表示装置によって字幕が表示される前記表示面上の領域である字幕領域において、互いに隣接する分割領域の発光輝度の差が所定値を超えない一連の分割領域を特定する輝度判定ステップと、
前記輝度判定ステップにおいて特定された前記一連の分割領域に対応する前記表示装置の領域が画像の表示されない黒帯部に含まれるか否かを判定する黒帯部判定ステップと、
前記黒帯部判定ステップにおいて前記一連の分割領域が前記黒帯部に含まれると判定された場合、前記一連の分割領域の発光輝度が、前記バックライト全体の平均輝度と等しくなるように、前記一連の分割領域の発光輝度を制御するバックライト制御ステップとを含むことを特徴とする表示制御デバイスの制御方法。
【請求項５】
請求項１に記載の表示制御デバイスを動作させるための制御プログラムであって、コンピュータを前記各手段として機能させるための制御プログラム。
【請求項６】
請求項５に記載の制御プログラムを記録したコンピュータ読み取り可能な記録媒体。
【発明の詳細な説明】
【技術分野】
【０００１】
本発明は、表示面に表示させる字幕の輝度を制御可能な表示制御デバイス等に関するものである。
【背景技術】
【０００２】
従来、映像の再生および再生制御を行う再生装置は、当該映像を表示する表示装置が備えたバックライトの発光輝度を、再生する映像に応じてダイナミックに変化させる制御を行っている。これにより、当該再生装置は、映像内容に応じたメリハリのある映像とすることができる。
【０００３】
特に、上記バックライトを複数の分割領域に分割し、当該分割領域ごとに発光ダイオード（以下「Light Emitting Diode」の頭文字をとって、単に「ＬＥＤ」と称する）の出力を制御することによって、バックライトの輝度を変化させる再生装置が普及している。すなわち、画面内の暗い領域ではＬＥＤの発光を抑え、画面内の明るい領域ではＬＥＤの発光を強めるなど、分割したそれぞれの領域ごとにＬＥＤの発光を制御する（ハイダイナミックレンジ（High Dynamic Range；ＨＤＲ）合成を行う）ことができる。上記技術は、一般に「ローカルデミング」と呼ばれる。
【０００４】
上記ローカルデミングに関連する技術として、例えば下記の特許文献１には、周囲の光源からの出射光を考慮し、消費電力を抑えつつ、正しい階調表示を行うことができる、エリアアクティブ駆動を行う画像表示装置が開示されている。
【０００５】
しかし、上記装置は、ＯＳＤ（On Screen Display）表示によって字幕が表示される映像、または当該映像自体に字幕が含まれた映像を表示する場合、バックライトの発光輝度が変化すると、画面に表示された字幕の輝度も変化する。これにより、ユーザが字幕を読むと、当該字幕の輝度が変化することによる違和感を得る。
【０００６】
そこで、例えば特許文献２に開示されているように、入力映像信号に応じて動的に画面輝度を最適化することによって、画質の向上及び消費電力の低減を実現する場合であっても、ＯＳＤ表示の輝度が変動することによる表示品位の低下を防止する画像表示装置が考案されている。
【先行技術文献】
【特許文献】
【０００７】
【特許文献１】特開２０１０−２４９９９６号公報（２０１０年１１月４日公開）
【特許文献２】特開２００５−３２１４２４号公報（２００５年１１月１７日公開）
【発明の概要】
【発明が解決しようとする課題】
【０００８】
しかし、上記の特許文献２に記載された画像表示装置は、ＯＳＤ表示の輝度がそれ以外の映像の輝度変化にかかわらず一定に保持されるため、ユーザがＯＳＤ表示とそれ以外の映像との一体感を得にくいという問題点がある。
【０００９】
本発明は、上記の問題点に鑑みてなされたものであり、その目的は、映像に応じて字幕の明るさを最適化することにより、字幕を含む映像の表示品位を向上させることが可能な表示制御デバイス等を提供することである。
【課題を解決するための手段】
【００１０】
上記課題を解決するために、本発明の表示制御デバイスは、
（１）表示装置が備えた表示面を照明する光源として発光ダイオードを用いたバックライトを複数の分割領域に分割し、当該分割領域ごとに前記発光ダイオードの出力を制御することによって、前記表示装置が当該表示面に表示させる画像の輝度を制御可能な表示制御デバイスであって、
（２）前記表示装置によって字幕が表示される前記表示面上の領域である字幕領域を構成する分割領域のうち、互いに隣接する分割領域の発光輝度の差が所定値を超えるか否かを判定する輝度判定手段と、
（３）前記輝度判定手段によって発光輝度の差が所定値を超えると判定された場合、前記字幕領域に外接する分割領域の発光輝度を超えないように、当該字幕領域を構成する分割領域の発光輝度を制御するバックライト制御手段とを備えたことを特徴とする。
【００１１】
また、上記の課題を解決するために、本発明の表示制御デバイスの制御方法は、
（１）表示装置が備えた表示面を照明する光源として発光ダイオードを用いたバックライトを複数の分割領域に分割し、当該分割領域ごとに前記発光ダイオードの出力を制御することによって、前記表示装置が当該表示面に表示させる画像の輝度を制御可能な表示制御デバイスの制御方法であって、
（２）前記表示装置によって字幕が表示される前記表示面上の領域である字幕領域を構成する分割領域のうち、互いに隣接する分割領域の発光輝度の差が所定値を超えるか否かを判定する輝度判定ステップと、
（３）前記輝度判定ステップにおいて発光輝度の差が所定値を超えると判定された場合、前記字幕領域に外接する分割領域の発光輝度を超えないように、当該字幕領域を構成する分割領域の発光輝度を制御するバックライト制御ステップとを含むことを特徴とする。
【００１２】
上記の特許文献２に記載された従来の画像表示装置は、ＯＳＤ表示の輝度が高くなりすぎないように制御を行う。しかし、上記画像表示装置は、ＯＳＤ表示以外の映像の輝度変化にかかわらず、ＯＳＤ表示の輝度を一定に保持するように制御するに過ぎない。そのため、ユーザがＯＳＤ表示とそれ以外の映像との間に輝度の大きな差を感じる場合があり、映像全体の一体感を得にくかった。
【００１３】
一方、本発明の表示制御デバイス等は、まず字幕が表示される表示面上の領域である字幕領域を構成する分割領域のうち、互いに隣接する分割領域の発光輝度の差が所定値を超えるか否かを判定する。そして、本発明の表示制御デバイス等は、互いに隣接する分割領域であって、発光輝度の差が所定値を超える分割領域が存在すると判定された場合、字幕領域に外接する分割領域の発光輝度を超えないように、字幕領域を構成する分割領域の発光輝度を制御する。すなわち、字幕領域に外接する分割領域の発光輝度に応じて字幕の発光輝度を最適化するように制御する。
【００１４】
これにより、字幕の発光輝度が字幕領域に外接する発光輝度よりも突出して大きくなることがないため、ユーザは字幕を読む際に当該字幕を眩しく感じることが少なく、映像全体の一体感を得ることができる。
【００１５】
また、上記の特許文献２に記載された画像表示装置は、字幕がＯＳＤ表示される場合にのみ、字幕の輝度が高くなりすぎないように制御するに過ぎない。
【００１６】
一方、本発明の表示制御デバイスは、互いに隣接する分割領域の発光輝度の差を抽出することにより、字幕が存在しているか否かを判定する。この判定は、字幕がＯＳＤ表示されているか、映像に直接表示されている（字幕入り映像）かに関わらず実行できる。
【００１７】
これにより、本発明の表示制御デバイスは、ＯＳＤ表示された字幕だけでなく、字幕入り映像に含まれる字幕も、字幕の輝度が高くなりすぎないように制御することができる。
【００１８】
したがって、本発明の表示制御デバイスおよび当該デバイスの制御方法は、従来の技術よりも映像の表示品位を向上させることができる。
【００１９】
また、本発明の表示制御デバイスでは、
（１）前記バックライト制御手段は、前記字幕領域に外接する分割領域の発光輝度の最大値と等しくなるように、当該字幕領域を構成する分割領域の発光輝度を制御することを特徴とする。
【００２０】
上記の構成によれば、字幕領域の発光輝度、特に字幕領域内に表示される字幕の発光輝度が、該字幕領域に外接する分割領域の発光輝度の最大値に等しくなる。すなわち、字幕の発光輝度は、少なくとも１つの字幕領域外の分割領域に表示される映像の発光輝度と同じである。このため、字幕の発光輝度が字幕領域外の発光輝度よりも突出して大きくなることがない。
【００２１】
したがって、本発明の表示制御デバイスは、ユーザが字幕を読む際、当該ユーザに字幕の眩しさを感じさせることが少ないため、映像の表示品位を向上させることができる。
【００２２】
また、本発明の表示制御デバイスは、
（１）前記輝度判定手段によって所定値を超えると判定された場合、前記字幕領域を構成する分割領域が画像の表示されない黒帯部に含まれるか否かを判定する黒帯部判定手段をさらに備え、
（２）前記バックライト制御手段は、前記黒帯部判定手段によって黒帯部に含まれると判定される場合、前記バックライト全体の平均輝度と等しくなるように、前記字幕領域を構成する分割領域の発光輝度を制御することを特徴とする。
【００２３】
上記の構成によれば、上記表示制御デバイスは、上記発光輝度の差が所定値を超えると判定された場合、字幕領域を構成する分割領域が画像の表示されない黒帯部に含まれるか否かを判定する。そして、上記表示制御デバイスは、黒帯部に含まれると判定される場合、バックライト全体の平均輝度と等しくなるように、字幕領域を構成する分割領域の発光輝度を制御する。
【００２４】
すなわち、本発明の表示制御デバイスは、字幕領域内に存在する字幕が黒帯部内に表示される場合、字幕の発光輝度をバックライト全体の平均発光輝度レベルと等しくできる。そのため、上記表示制御デバイスは、黒帯部内に字幕が存在する場合であっても字幕を暗くしすぎることなく、ユーザにとって見易く表示させることができる。
【００２５】
また、本発明の再生装置は、
（１）上記表示制御デバイスと、
（２）表示装置に表示させる画像を、当該表示装置に出力する再生デバイスとを備えたことを特徴とする。
【００２６】
上記の構成のように、上記表示制御デバイスと再生デバイスとを備えた再生装置は、上述と同様の効果を奏する。
【００２７】
また、本発明のテレビジョン受像機は、
（１）放送されたテレビジョン番組を受信可能なテレビジョン受像機であって、
（２）前記テレビジョン番組を表示する表示装置と、
（３）前記テレビジョン番組を前記画像として前記表示装置に出力する上記再生装置とを備えたことを特徴とする。
【００２８】
上記の構成のように、上記表示装置と再生装置とを備えたテレビジョン受像機は、上述と同様の効果を奏する。
【００２９】
なお、上記表示制御デバイスはコンピュータによって実現してもよい。この場合には、コンピュータを上記表示制御デバイスの各手段として動作させることにより、上記表示制御デバイスをコンピュータで実現させる制御プログラム、およびこれを記録したコンピュータ読み取り可能な記録媒体も本発明の範疇に入る。
【発明の効果】
【００３０】
以上のように、本発明の表示制御デバイスは、前記表示装置によって字幕が表示される前記表示面上の領域である字幕領域を構成する分割領域のうち、互いに隣接する分割領域の発光輝度の差が所定値を超えるか否かを判定する輝度判定手段と、前記輝度判定手段によって発光輝度の差が所定値を超えると判定された場合、前記字幕領域に外接する分割領域の発光輝度を超えないように、当該字幕領域を構成する分割領域の発光輝度を制御するバックライト制御手段とを備えた構成である。
【００３１】
また、本発明の表示制御デバイスの制御方法は、前記表示装置によって字幕が表示される前記表示面上の領域である字幕領域を構成する分割領域のうち、互いに隣接する分割領域の発光輝度の差が所定値を超えるか否かを判定する輝度判定ステップと、前記輝度判定ステップにおいて発光輝度の差が所定値を超えると判定された場合、前記字幕領域に外接する分割領域の発光輝度を超えないように、当該字幕領域を構成する分割領域の発光輝度を制御するバックライト制御ステップとを含む構成である。
【００３２】
したがって、本発明の表示制御デバイスおよび当該デバイスの制御方法は、映像に応じて字幕の明るさを最適化することができ、字幕を含む映像の表示品位を向上させることができるという効果を奏する。
【図面の簡単な説明】
【００３３】
【図１】本発明の第１の実施の形態に係る再生装置の要部構成を示すブロック図である。
【図２】表示装置の表示画面上に表示される映像の一例を示す模式図である。
【図３】字幕領域の表示面上における位置の一例を示した模式図である。
【図４】図１に示す再生装置の表示制御部により実行される字幕表示制御処理の一例を示すフローチャートである。
【図５】図２に示す表示画面の一部領域を拡大した拡大図である。
【図６】表示制御部により実行される字幕表示判定処理の流れを示すフローチャートである。
【図７】発光輝度の調整のやり方の具体例を示すグラフであって、図２に示すＲＯＷ１ライン上のバックライト領域の発光輝度を抽出したグラフであり、（ａ）は字幕表示制御処理前の発光輝度を示すグラフであり、（ｂ）は同処理後の発光輝度を示すグラフである。
【図８】図２に示すＲＯＷＯＵＴライン上のバックライト領域の発光輝度を抽出したグラフである。
【図９】図２に示すＣＯＬ１ライン上のバックライト領域の発光輝度を抽出したグラフである。
【図１０】本発明の第２の実施の形態に係る再生装置の要部構成を示すブロック図である。
【図１１】図１０に示す再生装置の表示制御部により実行される字幕表示制御処理の流れを示すフローチャートである。
【図１２】図２に示すＲＯＷ２ライン上のバックライト領域の発光輝度を抽出したグラフである。
【図１３】本発明の第３の実施の形態に係るＴＶ受像機の要部構成を示すブロック図である。
【発明を実施するための形態】
【００３４】
〔実施の形態１〕
図１〜図９に基づいて、本発明の第１の実施の形態を詳細に説明する。
【００３５】
〔再生装置１の概要〕
図１に基づいて、再生装置１の構成を説明する。図１は、本実施の形態に係る再生装置１の要部構成を示すブロック図である。なお、記載の簡潔性を担保する観点から、本実施の形態に直接関係のない部分は構成の説明およびブロック図から省略した。ただし、実施の実情に則して、再生装置１は当該省略した構成を含んでもよい。
【００３６】
再生装置１は、表示制御部１２と、液晶表示装置２０１（図１３参照）に表示させる画像を、当該液晶表示装置に出力する再生部１１とを備えた装置である。すなわち、再生装置１は、チューナー等から取得したストリーム信号に含まれる映像信号から、映像を再生する。そして、再生装置１により再生された映像は、液晶表示装置２０１に表示される。
【００３７】
なお、本実施形態では、再生装置１により再生される映像は、映像自体に字幕が含まれた字幕入り映像であるとする。また、映像信号を含むストリーム信号の一例としては、ＭＰＥＧ２（Moving Picture Experts Group phase 2）−ＴＳ（Transport Stream）などが挙げられる。
【００３８】
上記したように、再生装置１は、再生部１１、表示制御部１２、およびフレームメモリ部１３（以下、メモリ部１３と略記する）を備えた構成である。
【００３９】
再生部（再生デバイス）１１は、液晶表示装置２０１に表示させる画像を、当該液晶表示装置に出力する。再生部１１の詳細を、後で説明する。
【００４０】
表示制御部（表示制御デバイス）１２は、液晶表示装置２０１が備えた表示面２０１１（図１３参照）を照明する光源として発光ダイオード（ＬＥＤ）を用いたバックライトを複数の分割領域に分割し、当該分割領域ごとにＬＥＤの出力を制御することによって、液晶表示装置２０１が当該表示面に表示させる画像の輝度を制御可能なデバイスである。
【００４１】
なお、表示制御部１２の各機能は、例えばＲＡＭ（Random Access Memory）やフラッシュメモリなどの記憶素子に記憶されたプログラムを、ＣＰＵ（Central Processing Unit）が実行することによって実現されてもよい。表示制御部１２の詳細も、後で説明する。
【００４２】
メモリ部１３は、各種データおよびプログラムを記憶する記録媒体である。表示制御部１２が動作するために必要なプログラム、通信制御データ等の固定データを記憶する読み出し専用の半導体メモリであるＲＯＭ（Read Only Memory）、演算に使用するデータ、および演算結果等を一時的に記憶するいわゆるワーキングメモリとしてのＲＡＭ、各種の設定データ、上記ストリーム信号などを記憶する大容量のＨＤＤ（Hard Disk Drive）などによって、メモリ部１３を構成できる。
【００４３】
次に、再生部１１および表示制御部１２の構成の詳細を説明する。
【００４４】
〔再生部１１の詳細〕
図１に示したように、再生部１１は、デコーダ部１１１、外部入力端子部１１２、主制御部１１３、および主フレームメモリ部１１４（以下、主メモリ部１１４と略称）を備えた構成である。
【００４５】
デコーダ部１１１は、アンテナおよびチューナー（図示せず）を介することにより、テレビジョン放送波等を受信し、その放送波のストリーム信号に含まれる映像信号をデコードするものである。これにより、表示装置に表示可能な形式の映像が再生される。そして、デコーダ部１１１は、デコードした映像信号を表示制御部１２に送出する。
【００４６】
外部入力端子部１１２には、ＨＤＤ、ＳＤカード等の固体メモリ、ＢＤ（Blue-ray DISC）、ＤＶＤ（Digital Versatile Disk）、ＣＤ等のディスク装置等、種々の外部機器が接続可能とされている。デコーダ部１１１は、外部入力端子部１１２に接続されたこれらの外部機器から映像信号を受け取ってデコードし、デコードした映像を再生してもよい。
【００４７】
〔表示制御部１２の詳細〕
図１に示したように、表示制御部１２は、エリアアクティブ制御部１２１、ＬＥＤ制御部１２２、および字幕判定部１２３を備える構成である。
【００４８】
字幕判定部（輝度判定手段）１２３は、液晶表示装置２０１によって字幕が表示される表示面２０１１上の領域である字幕領域を構成する分割領域のうち、互いに隣接する分割領域の発光輝度の差が所定値を超えるか否かを判定する。
【００４９】
具体的には、字幕判定部１２３は、デコーダ部１１１から出力された映像を取得し、この映像の所定の字幕領域において、当該字幕領域を分割した分割領域ごとに、その分割領域内における映像の最大階調値を抽出する。そして、それらの最大階調値同士の差が所定値以上である互いに隣接する分割領域が存在するか否か判定する。
【００５０】
なお、字幕判定部１２３は、再生部１１が備える主制御部１１３によって、その動作が制御されている。また、字幕判定部１２３は、分割領域ごとに映像の最大階調値を抽出するとしたが、最大階調値以外にも、例えば各分割領域における映像の階調平均値など、他の所定の統計値を抽出する構成であってもよい。この場合、上記判定の対象となるのは、抽出した所定の統計値である。
【００５１】
ＬＥＤ制御部（バックライト制御手段）１２２は、字幕判定部１２３によって発光輝度の差が所定値を超えると判定された場合、字幕領域に外接する分割領域の発光輝度を超えないように、当該字幕領域を構成する分割領域の発光輝度を制御する。
【００５２】
言い換えれば、ＬＥＤ制御部１２２は、字幕判定部１２３による上記判定の結果を取得し、その判定結果により、上記分割領域に対応する領域を単位領域として、表示装置のバックライトを制御する。ここで、ＬＥＤ制御部１２２は、字幕領域に外接する分割領域の発光輝度の最大値と等しくなるように、当該字幕領域を構成する分割領域の発光輝度を制御してもよい。
【００５３】
エリアアクティブ制御部１２１は、字幕判定部１２３から映像信号を取得し、液晶表示装置２０１が備えた表示面２０１１の各画素の階調を制御する。
【００５４】
なお、上記分割領域がバックライトを制御するときの単位領域に対応しているため、以下では上記分割領域を「バックライト領域」と称する。
【００５５】
〔表示映像と字幕領域〕
図２に基づいて、液晶表示装置２０１が備えた表示面２０１１における字幕の表示位置を説明する。図２は、液晶表示装置２０１の表示面２０１１上に表示される映像の一例を示す模式図である。
【００５６】
表示面２０１１の上下端には、映像が何も表示されていない領域（領域Ｂ１、Ｂ２）がある。そして、両者に挟まれるように映像が表示されている（領域Ａ）。以下では、領域Ｂ１およびＢ２を黒帯部、領域Ａを通常画領域と呼ぶ。
【００５７】
図２では、通常画領域の下側で、かつ左右方向の中央部である位置に、字幕（「あい」）が表示されている。図２に示すように、通常画とともに表示される字幕は、通常画領域の上下左右のいずれかの端部に沿うように表示されるか、または黒帯部の内側に表示されることが一般的である。
【００５８】
字幕が表示されている映像の特徴としては、
１．隣接する画素間で輝度の急峻な変化がある。
２．ほぼ均一な高輝度画素が連続して表れる。
ことが挙げられる。
【００５９】
１．の特徴は、一般的に字幕が通常画と比較してとても高輝度で表示されるため、通常画と字幕とが隣接する位置で、このような輝度の変化が表れることである。
【００６０】
２．の特徴は、表示装置の画素のサイズが字幕の表示サイズよりも十分小さいので、字幕が表示されている領域に複数の画素が含まれることである。
【００６１】
なお、前述のバックライト領域は、画素以上のサイズであって、かつ字幕の表示サイズよりも十分小さいサイズ（例えば、字幕の表示サイズの１／２以下のサイズ）に設定される。これにより、字幕が表示されている領域に複数のバックライト領域が含まれる。
【００６２】
図２のように、字幕が通常画領域の下側または上側に表示される場合、横書きで表示されることが一般的である。一方で、通常画領域の左側または右側の端に沿うように字幕が表示される場合、縦書きで表示されることが一般的である。
【００６３】
また、字幕が黒帯部に表示される場合、黒帯部が通常画領域の上方および／または下方に表示されているならば、字幕は横書きで表示されることが一般的である。一方、黒帯部が通常画領域の左方および／または左方に表示されるならば、字幕は一般的に縦書きで表示されることが一般的である。
【００６４】
図３に基づいて、字幕が表示される表示面上の領域である字幕領域の表示位置を説明する。図３は、字幕領域の表示面上における位置の一例を示した模式図である。図３に示す、表示画面（外枠）の下側に斜線で示された横長の矩形部分（領域Ｘ）が、字幕領域である。
【００６５】
図３に示すように、一般的に字幕が表示される上記のような領域を含むように、表示制御部１２は表示画面上に字幕領域を設定する。当該字幕領域は、横方向に幅ｗ0で規定される範囲であり、また縦方向には前述の黒帯部（領域Ｂ１）および通常画部（領域Ａ）の両者に掛かる範囲である。
【００６６】
本実施の形態では、図３に示す字幕領域が設定されていると仮定して説明する。
【００６７】
〔字幕表示制御処理〕
図４に基づいて、再生装置１が再生した字幕入り映像を液晶表示装置２０１で表示する際に、上記液晶表示装置２０１が備えたバックライトの発光輝度を、表示制御部１２が制御する字幕表示制御処理を説明する。
【００６８】
まず、字幕表示制御処理の概要を説明する。表示制御部１２は、字幕領域をマトリクス状に分割し、分割した単位領域（バックライト領域）ごとに制御を行う。表示制御部１２は、再生装置１が再生する映像の字幕領域中に字幕を含むバックライト領域が存在しているか否かを判定し、そのようなバックライト領域が存在する場合に、字幕領域に対応するバックライトの発光輝度を制御する。
【００６９】
表示制御部１２は、ＲＯＷ１ライン、ＲＯＷ２ライン（図２・図３参照）ごとに、字幕表示制御処理を行う。各ライン上には、バックライト領域が一列に並んでいる。表示制御部１２は、ある一列のライン上に存在する全てのバックライト領域のうち、字幕を含むバックライト領域が存在するか否か判定する。そして、そのライン上に字幕を含むバックライト領域がなかった場合には、表示制御部１２はそのラインに隣接するラインに移って同様の判定を行う、という手順で字幕制御処理を実行する。字幕を含むバックライト領域がいずれのライン上でも見つからない場合、表示制御部１２は、字幕領域に含まれるすべてのバックライト領域の字幕表示制御処理を実行する。
【００７０】
次に、図４に示すフローチャートにしたがって、字幕表示制御処理の詳細を説明する。なお、以下の説明中、カッコ書きの「〜ステップ」は制御方法の各ステップを表す。
【００７１】
表示制御部１２（字幕判定部１２３）は、字幕を含むバックライト領域が存在しているか否か判定する字幕表示判定処理を、ライン上のバックライト領域ごとに行う（Ｓ１００、輝度判定ステップ）。この処理の詳細は後述する。
【００７２】
以降のステップで、表示制御部１２は、字幕を含むバックライト領域をみつけたか否かを示すためにフラグＦＬＡＧを使用する。ステップＳ１００で、ライン上のバックライト領域に字幕が存在していないと判定した場合、表示制御部１２はＦＬＡＧに０をセット（ＦＬＡＧ＝０）する。一方、ライン上のバックライト領域に字幕が存在していると判定した場合、表示制御部１２はＦＬＡＧを１にセット（ＦＬＡＧ＝１）する。
【００７３】
次に、表示制御部１２は、ＦＬＡＧ＝１であるか否かを判定する（Ｓ２００）。ＦＬＡＧ＝１でない場合（Ｓ２００でＮＯ）、すなわちＦＬＡＧ＝０である場合、表示制御部１２は現在のラインに隣接するラインに移動する（Ｓ３００）。その後、表示制御部１２は、移動先のラインが字幕領域外であるか否かを判定し（Ｓ４００）、そのラインが字幕領域内にある場合（Ｓ４００でＮＯ）、そのライン上のバックライト領域の字幕表示判定処理を行う（Ｓ１００）。一方、移動先のラインが字幕領域外である場合（Ｓ４００でＹＥＳ）、表示制御部１２は字幕表示制御処理を終了させる。
【００７４】
ステップＳ１００からステップＳ２００に進み、ＦＬＡＧ＝１である場合（Ｓ２００でＹＥＳ）、表示制御部１２（ＬＥＤ制御部１２２）は、字幕領域の発光輝度を当該字幕領域に外接する（通常画領域内の）バックライト領域の発光輝度の最大値に合わせる（Ｓ３００、バックライト制御ステップ）。そして、表示制御部１２は字幕表示制御処理を終了させる。
【００７５】
以上のように、映像の所定の字幕領域内におけるあるバックライト領域に字幕が存在していると字幕判定部１２３が判定した場合、表示制御部１２は、字幕領域を構成するバックライト領域の発光輝度を、字幕領域に外接する通常画領域の発光輝度に合わせる。これにより、字幕が通常画と同じ発光輝度で表示されるので、字幕を読むユーザが当該字幕を眩しく感じることは、起こり難い。
【００７６】
〔字幕表示判定処理〕
図６に示すフローチャートに基づき、前述の字幕表示制御処理のステップＳ１００として実行される字幕表示判定処理を説明する。なお、当該字幕表示判定処理の説明では、図２に示す表示面２０１１全体の領域のうち、字幕領域に含まれる一部領域の拡大図である図５を補足的に参照しながら説明する。
【００７７】
前述のように、字幕表示判定処理では、字幕を含むバックライト領域が存在しているか否かを、１本のライン上のバックライト領域ごとに、字幕判定部１２３が判定する。
【００７８】
以下では、図２にＲＯＷ１として示すライン上で字幕表示判定処理が行われる場合を例に挙げて説明する。
【００７９】
まず、字幕判定部１２３は、ＦＬＡＧ＝０とする。そして、字幕領域の左端のバックライト領域（図５ではＰＢ（１））の発光輝度を取得する（Ｓ１０１）。
【００８０】
次に、字幕判定部１２３は、領域の参照位置を上記左端のバックライト領域の右隣のバックライト領域（図５ではＰＢ（２））に移動させる（Ｓ１０２）。そして、字幕判定部１２３は、移動先のバックライト領域が予め設定した字幕領域の右端（図５ではＰＢ（ｎ））を超えているか否かを判定する（Ｓ１０３）。移動先のバックライト領域が字幕領域の右端を超えている場合（Ｓ１０３でＹＥＳ）、字幕判定部１２３は領域の参照位置を隣接するラインに移動させ（字幕表示制御処理のステップＳ２００）、そのライン上のバックライト領域に対して、ステップＳ１０１から字幕表示判定処理を繰り返す。
【００８１】
一方、現在のバックライト領域が字幕領域の右端を超えていない場合（Ｓ１０３でＮＯ）、字幕判定部１２３は移動先のバックライト領域の発光輝度を取得し（Ｓ１０４）、その左隣のバックライト領域との発光輝度同士の差が所定値以上であるか否か判定する（Ｓ１０５）。より詳細には、ステップＳ１０５で、字幕判定部１２３は左のバックライト領域の発光輝度と比較して、右のバックライト領域の発光輝度が所定値以上高いか否かを判定する。
【００８２】
上記ステップＳ１０５が、字幕領域内に字幕が存在しているか否かを判定するための第１のステップである。前述した字幕の特徴１．によれば、字幕が存在している映像では、字幕が存在する領域と字幕が存在しない領域との境界でバックライトの発光輝度が急峻に変化する。この特徴が現れているか否かを判定するのが、上記ステップＳ１０５である。
【００８３】
上記発光輝度同士の差が所定値以上でない場合（ステップＳ１０５でＮＯ）、字幕判定部１２３は、領域の参照位置をさらに右隣のバックライト領域に移動させ（Ｓ１０２）、上述した処理を繰り返す。
【００８４】
一方、上記発光輝度の差が所定値以上である場合（ステップＳ１０５でＹＥＳ）、字幕判定部１２３は、領域の参照位置を右隣のバックライト領域に移動させ（Ｓ１０６）、移動先のバックライト領域が字幕領域の右端のバックライト領域であるか否かを判定する（Ｓ１０７）。
【００８５】
現在のバックライト領域が字幕領域の右端のバックライト領域である場合（ステップＳ１０７でＹＥＳ）、字幕判定部１２３は領域の参照位置を隣接するラインに移動させ（字幕表示制御処理のステップＳ２００）、そのラインの字幕表示判定処理を行う。
【００８６】
一方、現在のバックライト領域が字幕領域の右端のバックライト領域ではない場合（ステップＳ１０７でＮＯ）、字幕判定部１２３は領域の参照位置を右隣のバックライト領域に移動させ（Ｓ１０７）、そのバックライト領域の発光輝度を取得する（Ｓ１０８）。
【００８７】
次に、字幕判定部１２３は、現在のバックライト領域から抽出した発光輝度が、左隣のバックライト領域の発光輝度とほぼ同一値であるか否かを判定する（Ｓ１０９）。
【００８８】
上記２つのバックライト領域の発光輝度が略同一値でない場合（Ｓ１０９でＮＯ）、字幕判定部１２３は領域の参照位置を右隣のバックライト領域に移動させ（Ｓ１０２）、前述の処理を繰り返す。
【００８９】
一方、上記２つのバックライト領域の発光輝度が略同一値である場合（Ｓ１０９でＹＥＳ）、字幕判定部１２３は上記２つのバックライト領域を含め、発光輝度が略同一値であると判定されたバックライト領域が所定数以上連続するか否かを判定する（Ｓ１１０）。
【００９０】
上記ステップＳ１０９および上記ステップＳ１１０が、字幕領域内に字幕が存在しているか否かを判定するための第２のステップである。前述した字幕の特徴２．によれば、字幕が存在している映像では、字幕が存在する領域に対応して、バックライトの発光輝度がほぼ均一な高輝度の発光輝度を示す領域が現れる。この特徴が現れているか否かを判定するのが、上記ステップＳ１０９および上記ステップＳ１１０である。
【００９１】
発光輝度が略同一値のバックライト領域が所定数以上連続していない場合（Ｓ１１０でＮＯ）、字幕判定部１２３は、領域の参照位置を右隣のバックライト領域に移動させ（Ｓ１０６）、前述の処理を繰り返す。
【００９２】
発光輝度が略同一値のバックライト領域が所定数以上連続する場合（Ｓ１１０でＹＥＳ）、字幕判定部１２３は、発光輝度が略同一値である一連のバックライト領域に字幕が存在していると判定し（Ｓ１１１）、ＦＬＡＧ＝１とする。以上で（ＲＯＷ１ラインにおける）字幕表示判定処理（Ｓ１００）が終了する。
【００９３】
このように、字幕表示判定処理では、字幕判定部１２３は字幕領域における各ラインに対し、字幕が存在するバックライト領域が存在するか否かを判定する。
【００９４】
なお、本実施の形態では、字幕判定部１２３は、まず左隣のバックライト領域との発光輝度の差が所定値以上であるバックライト領域を抽出し（ステップＳ１０５でＹＥＳ）、そのバックライト領域と発光輝度が略同一値であるバックライト領域が所定数以上連続する場合（ステップＳ１０９、Ｓ１１０でＹＥＳ）に、それら一連のバックライト領域に字幕が存在していると判定する。しかしながら、本発明はこれに限られない。
【００９５】
具体的には、字幕判定部１２３は、発光輝度の差が所定値以上である互いに隣接するバックライト領域を抽出した場合（ステップＳ１０５でＹＥＳ）に、発光輝度が高い方のバックライト領域に字幕が存在していると判定してもよい。これにより、前述した字幕の特徴２．を見逃すことになるので、字幕の存在を判定する精度は低下するものの、処理が簡素化されるという利点がある。
【００９６】
〔発光輝度の調整〕
上述の字幕表示制御処理で、「映像の所定の字幕領域内に字幕が存在していると判定された場合に、字幕領域の発光輝度が通常画領域の発光輝度に合わせられる」と説明した。ここでは、図７の（ａ）および（ｂ）に示す、ＲＯＷ１ライン上のバックライト領域の発行輝度を抽出したグラフに基づいて、ＬＥＤ制御部１２２によって実行される、発光輝度の調整方法の具体例を説明する。
【００９７】
図７の（ａ）は、ＬＥＤ制御部１２２が、字幕領域内のバックライト領域の発光輝度を調整する前に、ＲＯＷ１ライン（図５参照）上に存在するバックライト領域の発光輝度を抽出した結果を示す棒グラフである。グラフの各棒は各バックライト領域に対応しており、その棒の高さは発光輝度を表している。同図に３つの矢印で示すように、字幕領域内には、突出して発光輝度が高く、ほぼ均一な発光輝度を示す３つのバックライト領域が並ぶ領域が３箇所存在している。これらは、この領域（字幕表示領域）に字幕が存在していることを示す。このように、ほぼ均一な高輝度のバックライト領域が連続する位置に、字幕は存在する。
【００９８】
図７の（ｂ）は、ＬＥＤ制御部１２２が、字幕領域内のバックライト領域の発光輝度を、字幕領域に隣接する通常画領域内のバックライト領域の発光輝度に合わせた後に、映像領域内のバックライト領域の発光輝度を抽出した結果を示すグラフである。同図からわかるように、字幕領域内のバックライト領域の発光輝度が、字幕領域と隣接する通常画領域内のバックライト領域（図内にＲで示す）の発光輝度に合わせられている。こうすることによって、字幕領域内に表示された字幕の発光輝度が、通常画の発光輝度と比べて突出して高いということがなくなる。これにより、ＬＥＤ制御部１２２は、字幕を読むユーザがその字幕をまぶしく感じることを抑制することができる。
【００９９】
また、その他の発光輝度の調整の方法として、次のような例も挙げられる。
１．字幕が存在していると判定されたバックライト領域の発光輝度は、そのバックライト領域に隣接するバックライト領域の発光輝度のうち、最大値となる発光輝度にする。
２．隣接するバックライト領域が、字幕が存在していると判定されたバックライト領域である場合、直前に決定した（字幕領域内の）バックライト領域の発光輝度とする。
【０１００】
〔字幕表示判定処理の補足〕
一般的な映像では、字幕が通常画よりも高輝度に表示される。そのため、字幕表示制御処理を行う前は、字幕を含まないバックライト領域（図５ではＰＢ（ｋ））の発光輝度と比較して、そのバックライト領域に隣接する字幕を含むバックライト領域（図５ではＰＢ（ｋ＋１））の発光輝度が高い。
【０１０１】
また、一般的な映像では、字幕を含むバックライト領域の発光輝度と字幕を含まないバックライト領域の発光輝度との差は、字幕を含まない２つのバックライト領域の発光輝度の差よりも大きい。
【０１０２】
以上のことを前提として、ステップＳ１０５で行われる判定の基準となる、隣接するバックライトの発光輝度の差の所定値を設定しておく。
【０１０３】
具体的には、
１．通常画のみを含むバックライト領域から抽出できる発光輝度と、字幕を含むバックライト領域の発光輝度との差よりも低い。
２．通常画のみを含む２つのバックライト領域の発光輝度の差よりも高い。
値となるように、上記所定値を設定しておく。
【０１０４】
図８は、図２の映像が表示されている場合、ＲＯＷＯＵＴラインに沿ってバックライト領域の発光輝度を抽出した結果を示す。ＲＯＷＯＵＴラインは通常画領域内、すなわち字幕領域の外部に存在している。そのため、ＲＯＷＯＵＴライン上のバックライト領域には、字幕が含まれていない。そのため、図８から理解できるように、ＲＯＷＯＵＴライン上に存在するバックライト領域には、字幕の存在を示す特徴的な高輝度を示す領域が存在しない。
【０１０５】
図８のグラフと、図７の（ａ）のグラフ（字幕を含むバックライト領域が存在するグラフ）との比較から理解できるように、通常画と字幕とは、特徴的な発光輝度を示すバックライト領域の有無によって判別することができる。
【０１０６】
〔変形例〕
本実施の形態では、字幕領域が表示面２０１１の下側に位置しており、かつ横長の矩形領域である場合の処理を説明した（図３参照）。しかし本発明はこれに限られない。字幕領域は、その他にも、例えば表示面２０１１の左側に位置する縦長の矩形領域であってもよい。これにより、表示面２０１１の左側に縦書きで字幕が表示される場合に対応することができる。一般的には、字幕領域は、表示面２０１１全体の領域のうち、一般的に字幕が表示される領域であればよい。また、字幕領域は１つの領域だけでなく、複数の領域で構成されていてもよい。
【０１０７】
なお、字幕領域が縦長の矩形領域である場合、字幕判定部１２３は、本実施の形態のように横方向のライン（ＲＯＷ１、ＲＯＷ２）ではなく、縦方向のラインごとに、字幕表示判定処理をおこなう。
【０１０８】
図９は、図２の映像が表示されている場合、縦方向のラインの一例であるＣＯＬ１ライン上のバックライト領域の発光輝度を抽出した結果を示す。図９においてグラフの左から右に向かう方向は、図２において表示面２０１１を上から下に向かう方向に対応する。
【０１０９】
図９に２つの矢印で示す特徴的な発光輝度は、そのバックライト領域内に字幕が存在することを示している。このように、字幕判定部１２３は、縦方向のラインごとに字幕表示判定処理を行うことも可能である。
【０１１０】
〔実施の形態２〕
図１０〜図１２に基づいて、本発明の第２の実施の形態を詳細に説明する。本実施の形態は、字幕が映像の黒帯部に含まれている場合、字幕表示制御処理におけるバックライトの発光輝度の制御方法が、実施の形態１と異なる。その他の構成等は、実施の形態１と同じである。そのため、以下では、本実施の形態の特徴を有する字幕表示制御処理を主に説明する。また、実施の形態１で説明した構成およびステップと同一の構成およびステップには、同一の符号を付して説明を省略する。
【０１１１】
図１０に基づいて、本実施の形態の再生装置２の構成を説明する。図１０は、再生装置２の要部構成を示すブロック図である。再生装置２は、実施の形態１に係る再生装置１の構成に加えて、黒帯部判定部（黒帯部判定手段）１２４をさらに備えている。
【０１１２】
黒帯部判定部１２４は、字幕領域を構成するバックライト領域のうち、互いに隣接するバックライト領域の発光輝度の差が所定値を超えるバックライト領域が存在すると字幕判定部１２３が判定した場合に、字幕領域を構成するバックライト領域が、画像の表示されない黒帯部に含まれるか否かを判定する。
【０１１３】
ＬＥＤ制御部１２２は、黒帯部判定部１２４による判定結果を取得し、その判定結果に応じてバックライトの制御方法を変更する。
【０１１４】
〔字幕表示制御処理〕
図１１に示すフローチャートに基づいて、本実施の形態における字幕表示制御処理の特徴を説明する。なお、本実施の形態では、字幕が映像の黒帯部に存在しているとする。
【０１１５】
本実施の形態の字幕表示制御処理では、字幕判定部１２３が、ステップＳ１００においてあるライン上のバックライト領域に字幕が存在すると判定した場合、すなわちＦＬＡＧを１にセットした場合、ステップＳ２００の判定はＹＥＳであり、ステップＳ３０００に進む。黒帯部判定部１２４は、該字幕が黒帯部内に位置しているか否かを判定する（Ｓ３０００）。
【０１１６】
黒帯部判定部１２４が、黒帯部内に字幕は存在していない、すなわち通常画領域に存在していると判定した場合（Ｓ３０００でＮＯ）、ＬＥＤ制御部１２２は、実施の形態１と同様に、字幕領域の発光輝度を、字幕領域に外接するバックライト領域の発光輝度（の最大値）に合わせる（Ｓ３００１ｂ）。そして字幕表示制御処理を終了する。
【０１１７】
一方、字幕が黒帯部内に存在している場合（Ｓ３０００でＹＥＳ）、ＬＥＤ制御部１２２は、字幕領域の発光輝度を平均輝度（Average Picture Level；ＡＰＬ）に合わせ（Ｓ３００１ａ）、字幕表示制御処理を終了する。なお、例えば表示面２０１１のアスペクト比（画面サイズ）と映像のピクセルサイズに基づいて、黒帯部判定部１２４は、表示面２０１１全体の領域のうち、黒帯部である領域を計算する。
【０１１８】
図１２は、字幕が黒帯部内に存在している場合、ＲＯＷ２ライン（図２参照）上のバックライト領域の発光輝度を抽出した結果の一例を示す。同図に３つの矢印で示す位置に、字幕の存在を示す特徴的な高輝度が現れている。
【０１１９】
実施の形態１では、字幕が通常画領域内に存在している場合だけでなく、黒帯部内に存在している場合にも、字幕領域の発光輝度が、字幕領域と外接するバックライト領域に合わせられる。したがって、字幕が黒帯部内に存在している場合、字幕領域の発光輝度は黒帯部の発光輝度に合わせられる。その場合、字幕が暗く表示されるので、ユーザは字幕を見づらくなる。
【０１２０】
一方、本実施の形態の字幕表示制御処理では、字幕が黒帯部内に存在している場合、字幕領域の発光輝度をＡＰＬに合わせる。ＡＰＬとは、表示面２０１１に表示された映像全体（バックライト全体）の発光輝度の平均レベルである。そのため、ＡＰＬを算出する要素としては、黒帯部の発光輝度だけでなく、通常画領域の発光輝度も含まれている。したがって、字幕領域の発光輝度が少なくとも黒帯部における発光輝度よりも高くなるので、実施の形態１と比較して字幕の視認性が改善される。
【０１２１】
〔実施の形態３〕
図１３に基づいて、実施の形態１である再生装置１をテレビジョン受像機２００（以下、ＴＶ受像機２００と略記する）に適用した例を説明する。なお、実施の形態１で説明した再生装置１に関する説明を省略する。
【０１２２】
図１３は、ＴＶ受像機２００の要部構成を示すブロック図である。同図に示すように、ＴＶ受像機２００は、表示面２０１１およびバックライト２０１２を備えた液晶表示装置２０１を有する。また、ＴＶ受像機２００は、チューナー部２０４、アンテナ部２４０、ＬＥＤドライバ部２０５、およびタイミングコントローラ部２０６を有する。
【０１２３】
液晶表示装置２０１は、タイミングコントローラ部２０６およびＬＥＤドライバ部２０５から入力される信号にしたがってバックライト２０１２の出力を調整し、画像データを表示面２０１１に表示することにより、テレビジョン番組を表示可能な装置である。
【０１２４】
本実施の形態では、液晶表示装置２０１として、表示面２０１１に液晶表示パネルを用いた液晶ディスプレイ（Liquid Crystal Display；ＬＣＤ）を想定しているが、ローカルデミング制御が可能な表示機能を有する装置（特に、フラットパネルディスプレイ）でありさえすればハードウェアの種類は限定されない。
【０１２５】
例えば、プラズマディスプレイ（Plasma Display Panel；ＰＤＰ）やＥＬ（Electroluminescence）ディスプレイなどの表示素子と、タイミングコントローラ部２０６およびＬＥＤドライバ部２０５から入力される信号に基づいて、表示素子を駆動するドライバ回路とを備える装置等で、液晶表示装置２０１を構成できる。
【０１２６】
バックライト２０１２は、表示面２０１１を照明する光源にＬＥＤを用いた照明用の機器である。バックライト２０１２のＬＥＤの輝度は、ＰＷＭ（Pulse Width Modulation）制御、電流制御、またはこれらの組み合わせにより、制御情報にしたがって制御される。
【０１２７】
ＴＶ受像機２００は、再生装置１をさらに有している。ＴＶ受像機２００の動作は、再生装置１が備えた主制御部１１３と、主メモリ部１１４に記憶された各種の制御プログラムとによって制御される。すなわち、ＴＶ受像機２００は、主制御部１１３を含むコンピュータ・システムによって制御されており、ＴＶ受像機２００をコンピュータ・システムによって動作させるためのプログラムは、主メモリ部１１４に保存されている。
【０１２８】
ＴＶ受像機２００はチューナー部２０４を備え、デジタル放送（テレビジョン番組）を受信可能である。その他に、ＴＶ受像機２００はＩＰ放送チューナー部を備え、ＩＰ放送を受信可能であってもよい。
【０１２９】
チューナー部２０４は、デジタル放送受信用のアンテナ部２４０を介して受信するデジタルテレビ放送信号を選局する。チューナー部２０４からの受信信号は、復調されたのちに、デコーダ部１１１へと送られる。
【０１３０】
ＬＥＤドライバ部２０５は、バックライト２０１２を構成するＬＥＤの発光を制御する。ＬＥＤドライバ部２０５は、バックライト２０１２の発光輝度を制御する指示をＬＥＤ制御部１２２から取得する。そして、ＬＥＤドライバ部２０５は、バックライト２０１２を構成するＬＥＤの発光輝度を制御する。
【０１３１】
タイミングコントローラ部２０６は、エリアアクティブ制御部１２１から、表示面２０１１の各画素の階調を示すデータ（画像のデータ）を取得する。そして、タイミングコントローラ部２０６は、バックライト２０１２の発光と同期した画像が表示面２０１１に表示されるように、取得した画像のデータを出力する。
【０１３２】
実施の形態１と同様に、表示制御部１２は、表示する画像の所定の字幕領域に字幕が存在している場合、字幕領域の発光輝度を字幕領域に外接するバックライト領域の発光輝度に合わせる。そして、上述のように表示面２０１１に映像が表示される。そのため、表示面２０１１に表示される画像に字幕が含まれている場合、字幕の発光輝度が抑制される。
【０１３３】
したがって、ＴＶ受像機２００は、字幕領域に字幕が含まれる場合に、ユーザにとって字幕が眩しく感じられることのない、表示品位の高い映像を提供することができる。
【０１３４】
なお、以上の説明では、ＴＶ受像機を一例にあげているが、その他にも、テレビジョン放送が視聴可能な携帯機器、例えば携帯電話機、カーナビゲーションシステム、携帯型ゲーム端末機等によってテレビジョン放送を受信する場合にも、本願の発明に係る再生装置を適用できることは明らかである。
【０１３５】
また、本発明はローカルデミング技術に適用することができる。
【０１３６】
従来のローカルデミングでは、発光輝度の強い領域はバックライトをより強く発光させる一方、発光輝度の弱い領域はバックライトをより弱く発光させる。したがって、従来のローカルデミングを適用した場合、発光輝度の高い字幕を含む領域のバックライトはさらに強く発光する。そのため、ユーザは字幕を眩しく感じる。
【０１３７】
しかし、字幕領域の発光輝度を抑制する本発明をローカルデミング制御と組み合わせることにより、字幕の輝度が過剰に強くなることを防止できる。すなわち、本発明によれば、字幕領域に字幕が存在していると判定された場合、字幕領域の発光輝度が字幕領域に外接するバックライト領域の発光輝度に合わせられる。したがって、本発明によれば、字幕領域に含まれる字幕の発光輝度が強くならないようにすることができる。
【０１３８】
〔補足〕
最後に、再生装置１、ＴＶ受像機２００の各ブロック、特に表示制御部１２は、ハードウェアロジックによって構成してもよいし、次のようにＣＰＵを用いてソフトウェアによって実現してもよい。
【０１３９】
すなわち、再生装置１は、各機能を実現する制御プログラムの命令を実行するＣＰＵ、上記プログラムを格納したＲＯＭ、上記プログラムを展開するＲＡＭ、上記プログラムおよび各種データを格納するメモリ等の記憶装置（記録媒体）などを備えている。そして、本発明の目的は、上述した機能を実現するソフトウェアである再生装置１／ＴＶ受像機２００の制御プログラムのプログラムコード（実行形式プログラム、中間コードプログラム、ソースプログラム）をコンピュータで読み取り可能に記録した記録媒体を、上記再生装置１／ＴＶ受像機２００に供給し、そのコンピュータ（またはＣＰＵやＭＰＵ）が記録媒体に記録されているプログラムコードを読み出し実行することによっても、達成可能である。
【０１４０】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１４１】
また、再生装置１／ＴＶ受像機２００を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。
【０１４２】
本発明は上述した各実施の形態に限定されるものではなく、請求項に示した範囲で種々の変更が可能であり、異なる実施の形態にそれぞれ開示された技術的手段を適宜組み合わせて得られる実施の形態も本発明の技術的範囲に含まれる。
【産業上の利用可能性】
【０１４３】
本発明は、以上のように、バックライトを備える表示装置に適用されるので、少なくとも液晶表示装置に表示する映像を再生する任意の再生装置に使用することができる。
【符号の説明】
【０１４４】
１    再生装置（再生装置）
１２    表示制御部（表示制御デバイス）
１２２    ＬＥＤ制御部（バックライト制御手段）
１２３    字幕判定部（輝度判定手段）
１２４    黒帯部判定部（黒帯部判定手段）
２００    テレビジョン受像機（テレビジョン受像機）
２０１    液晶表示装置（表示装置）
２０１１    表示面（表示面）
２０１２    バックライト（バックライト）
【図１】
0005944733.tif 000002
【図２】
0005944733.tif 000003
【図３】
0005944733.tif 000004
【図４】
0005944733.tif 000005
【図５】
0005944733.tif 000006
【図６】
0005944733.tif 000007
【図７】
0005944733.tif 000008
【図８】
0005944733.tif 000009
【図９】
0005944733.tif 000010
【図１０】
0005944733.tif 000011
【図１１】
0005944733.tif 000012
【図１２】
0005944733.tif 000013
【図１３】
0005944733.tif 000014